(57)【要約】【課題】複数のディスプレイを備える車載システムにおいて、複数のアプリケーションからの表示出力及び音声出力を適切に制御する。【解決手段】映像音声制御装置１０は、アプリケーションの稼働中において、次に起動するアプリケーションが音声系アプリケーションに該当する場合、その時点で表示出力を行っている稼働中のアプリケーションが音声系アプリケーションに該当するか否かを判定する。もし、先に表示出力中のアプリケーションの中に音声系アプリケーションが存在する場合、通常的な表示切替えの優先順位に関わらず、２つのディスプレイのうち先の音声系アプリケーションの画面を表示している方のディスプレイに、新たに起動した次の音声系アプリケーションの画面を書替えて表示する。さらに、先の音声系アプリケーションが音声コンテンツを再生中であれば、その音声出力を停止し、次の音声アプリケーションによる音声出力に切替える。【選択図】図１
2013171312.tif 000002
【特許請求の範囲】
【請求項１】
複数同時に動作する各アプリケーションソフトウェアによる複数種類の表示出力を、車両に備えられた複数の映像表示手段に分配して行い、また、前記各アプリケーションによる音声出力を、前記車両に備えられた少なくとも１の音声出力手段から行う出力制御手段を備え、
前記出力制御手段は、音声コンテンツの出力を主要とする特定の音声系アプリケーションソフトウェアが複数同時に動作するとき、当該複数の音声系アプリケーションソフトウェアの間で、前記映像表示手段に対する表示出力及び前記音声出力手段に対する音声出力を排他的に行うこと
を特徴とする車両用の映像音声制御装置。
【請求項２】
請求項１に記載の車両用の映像音声制御装置において、
前記出力制御手段は、前記映像表示手段及び前記音声出力手段に対して、第１の音声系アプリケーションソフトウェアによる表示出力及び音声出力を行っているときに、別の第２の音声系アプリソフトウェアによる表示出力及び音声出力の要求が新たに発生した場合、前記第１の音声系アプリケーションソフトウェアによる表示出力の出力先になっていた前記映像表示手段の表示内容を、前記第２の音声系アプリケーションソフトウェアによる新たな表示出力に切替えると共に、前記第１の音声系アプリケーションソフトウェアによる前記音声出力手段からの音声出力を、前記第２の音声系アプリケーションソフトウェアによる新たな音声出力に切替えること
を特徴とする車両用の映像音声制御装置。
【請求項３】
請求項１又は請求項２に記載の車両用の映像音声制御装置において、
前記出力制御手段は、複数の音声系アプリケーションソフトウェアの間で、前記映像表示手段に対する表示出力及び前記音声出力手段に対する音声出力を排他的に切替えたときに、排他された従前の音声系アプリケーションソフトウェアを稼動状態のまま待機させること
を特徴とする車両用の映像音声制御装置。
【請求項４】
請求項３に記載の車両用の映像音声制御装置において、
前記出力制御手段は、前記映像表示手段及び前記音声出力手段における表示出力及び音声出力の出力元になっている音声系アプリケーションソフトウェアが動作を終了したとき、稼働状態で待機中の別の音声系アプリケーションソフトウェアがある場合、当該待機中の音声系アプリケーションソフトウェアによる表示出力を、前記終了した音声系アプリケーションソフトウェアによる表示出力が行われていた映像表示手段から行うと共に、当該待機中の別の音声系アプリケーションソフトウェアによる音声出力を、前記音声出力手段から行うこと
を特徴とする車両用の映像音声制御装置。
【発明の詳細な説明】
【技術分野】
【０００１】
本発明は、車載機器で動作するアプリケーションによる表示出力及び音声出力を制御する車両用の映像音声制御装置に関する。
【背景技術】
【０００２】
従来、ユーザに対して表示出力及び音声出力を行う車載機器においては、オーディオビジュアルやナビゲーションといった各種のアプリケーションを複数動作させることができるようになっている。そして、複数のアプリケーションからの表示出力や音声出力を制御する技術として、例えば、特許文献１に開示されたものがある。
【０００３】
特許文献１に記載の技術では、複数のアプリケーションの出力要求が発生した場合に出力内容を調整するとの課題を解決する手段として、次のようにしている。すなわち、全てのアプリケーションにおける表示や音声の出力内容について、「どこに」、「何を」、「どのように」出力するかを予め定めたテーブルを用意しておき、複数のアプリケーションの出力要求が発生したときに、そのテーブルに基づいて表示や音声の出力リソースを分配して出力内容を調整する。
【先行技術文献】
【特許文献】
【０００４】
【特許文献１】特開２００７−１４５１３７号公報
【発明の概要】
【発明が解決しようとする課題】
【０００５】
特許文献１には、１つの画面上に２つのアプリケーションによる表示を組合せる方法について開示されているものの、車両に２つ以上のディスプレイが備えられている場合に、複数画面においてアプリケーションの表示をどのように行うかについては開示されていない。
【０００６】
ところで、複数のディスプレイを備える車載システムで複数のアプリケーションを同時に動作させる方法として、例えば、前列側のディスプレイと後列側のディスプレイとで、異なるアプリケーションの表示出力をそれぞれ独立して行うようにするものがある。しかしながら、前記のように複数画面のそれぞれに割当てるアプリケーションを独立させた場合、次のような問題がある。
【０００７】
例えば、複数画面のそれぞれに、ビデオプレーヤやテレビといった映像（映像と音）系のアプリケーションと、ミュージックプレーヤやラジオといった音響系のアプリケーションとが割当てられた場合を想定する。これらのアプリケーションは、何れもユーザが鑑賞するための音声を出力するものである。この場合、複数画面のそれぞれに各アプリケーションからの表示出力が行わると共に、音声出力も同時に行われる。
【０００８】
このような場合、各アプリケーションの表示に関しては、各画面に独立して行われるため、視覚情報が入り混じるという問題はない。だが、もし音声出力系統が共通であったら、各アプリケーションからの音源が混線する可能性がある。この対策として、アプリケーションの音源ごとに個別の音声出力系統で出力させる制御を行うことも考えられる。しかしながら、たとえアプリケーションごとに音声出力系統を分けたとしても、各アプリケーションからの音声出力は同じ車内空間に放音されるため、狭い車内空間では複数の音源が混じった状態でユーザが聴くことになる。複数の音源が同時に出力される状態は、ユーザにとって聴き取りづらく、煩わしいものになる場合がある。
【０００９】
本発明は、上記問題を鑑みなされたものであり、複数のディスプレイを備える車載システムにおいて、複数のアプリケーションからの表示出力及び音声出力を適切に制御することで上記問題を解決するものである。
【課題を解決するための手段】
【００１０】
上記目的を達成するためになされた本発明における車両用の映像音声制御装置は、複数同時に動作する各アプリケーションによる表示出力を、車両に備えられた複数の映像表示手段に分配して行い、また、各アプリケーションによる音声出力を、車両に備えられた少なくとも１の音声出力手段から行う出力制御手段を備える。
【００１１】
そして、出力制御手段は、音声コンテンツの出力を主要とする特定の音声系アプリケーションが複数同時に動作するとき、当該複数の音声系アプリケーションの間で、映像表示手段に対する表示出力及び音声出力手段に対する音声出力を排他的に行う。なお、ここでいう音声系アプリケーションとは、ユーザが聴くための音声コンテンツを出力することを主要な機能の１つとし、更に動画やメニュー画面等といった映像の表示を伴うもの想定している。
【００１２】
本発明によれば、たとえ複数の映像表示手段によって複数種類の表示出力をそれぞれ独立して表示可能なシステムか構築されていても、複数の音声系アプリケーションによる表示出力及び音声出力が同時に行われることがない。よって、複数の音声系アプリケーションによる複数の音源が同時に車内空間に出力される状況を回避できる。このため、ユーザが音声を聴き取りづらく感じたり煩わしさを感じることを抑制できる。なお、本発明では、複数の音声系アプリケーションの間で表示・音声出力が排他的に行われる一方、非音声系アプリケーション同士、あるいは、非音声系アプリケーションと音声系アプリケーションとの間では、このような排他的な出力制御は行わない。
【００１３】
複数の音声系アプリケーションの間で、表示出力及び音声出力を排他的に行うための具体的な方法としては、請求項２に記載のようにすることが考えられる。すなわち、出力制御手段は、映像表示手段及び音声出力手段に対して、第１の音声系アプリケーションによる表示出力及び音声出力を行っているときに、別の第２の音声系アプリによる表示出力及び音声出力の要求が新たに発生した場合、映像表示手段及び音声出力手段に対する表示出力及び音声出力を第２の音声系アプリケーションのものに切替える。このとき、第１の音声系アプリケーションによる表示出力の出力先になっていた映像表示手段の表示内容を、第２の音声系アプリケーションによる新たな表示出力に切替える。それと共に、第１の音声系アプリケーションによる音声出力手段からの音声出力を、第２の音声系アプリケーションによる新たな音声出力に切替える。このようにすることで、映像表示手段及び音声出力手段における出力内容を、常に新たな音声系アプリケーションによる表示出力及び音声出力に切替えることができる。
【００１４】
つぎに、請求項３に記載の車両用の映像音声制御装置は、以下の特徴を有する。すなわち、出力制御手段は、複数の音声系アプリケーションの間で、映像表示手段に対する表示出力及び音声出力手段に対する音声出力を排他的に切替えたときに、排他された従前の音声系アプリケーションを稼動状態のまま待機させる。このようにすることで、排他された方の音声系アプリケーションによる表示出力及び音声出力が一旦停止しても、アプリケーションの稼働状態が維持されているので、必要に応じて表示出力及び音声出力をすぐに復帰させることができる。
【００１５】
なお、待機中の音声系アプリケーションによる表示出力及び音声出力を復帰させる手順としては、請求項４に記載のようにすることが考えられる。すなわち、出力制御手段は、映像表示手段及び音声出力手段における表示出力及び音声出力の出力元になっている音声系アプリケーションが動作を終了したとき、稼働状態で待機中の別の音声系アプリケーションがある場合、当該待機中の音声系アプリケーションによる表示出力を、終了した音声系アプリケーションによる表示出力が行われていた映像表示手段から行う。それと共に、当該待機中の別の音声系アプリケーションによる音声出力を、音声出力手段から行う。このようにすることで、従前の音声系アプリケーションが終了した時に、この終了した音声系アプリケーションに代えて、排他されて待機中であった音声系アプリケーションによる表示出力及び音声出力をすぐに復帰させることができる。
【図面の簡単な説明】
【００１６】
【図１】実施形態の映像音声制御装置１０の概略構成を示すブロック図。
【図２】アプリケーション起動時の出力切替処理の手順を示すフローチャート。
【図３】アプリケーション終了時の出力切替処理の手順を示すフローチャート。
【図４】２画面表示における画面切替えの通常例１を示す説明図。
【図５】２画面表示における画面切替えの通常例２を示す説明図。
【図６】２画面表示における画面切替えの通常例３を示す説明図。
【図７】２画面表示における画面切替えの不正例１を示す説明図。
【図８】２画面表示における画面切替えの改善例１を示す説明図。
【図９】２画面表示における画面切替えの不正例２を示す説明図。
【図１０】２画面表示における画面切替えの改善例２を示す説明図。
【発明を実施するための形態】
【００１７】
以下、本発明の一実施形態を図面に基づいて説明する。なお、本発明は下記の実施形態に何ら限定されるものではなく様々な態様にて実施することが可能である。
［映像音声制御装置１０の構成の説明］
実施形態の映像音声制御装置１０は、車両１に搭載される音響映像システムの中核をなす制御装置であり、例えば、ＡＶ（Audio Visual）一体型ナビゲーション装置等で具現化される。図１に示すように、映像音声制御装置１０は、ＣＰＵ１１、記憶部１２、表示制御部１３、及び、音声制御部１４を備える。また、表示制御部１３には、車両１に設置された２つのディスプレイ２０ａ，２０ｂが接続されている。以下、これらの２つのディスプレイを個別に表記する場合には、ディスプレイ１（２０ａ），ディスプレイ２（２０ｂ）と記載する。また、音声制御部１４には、車両１に設置されたスピーカ３０が接続されている。
【００１８】
ＣＰＵ１０は、プログラムに従って映像音声制御装置１０の各部構成を統括制御する演算処理装置である。ＣＰＵ１０は、記憶部１２から読込んだアプリケーションのプログラムやデータに基づいて種々のアプリケーション処理を実行する。ＣＰＵ１０が実行するアプリケーションとしては、ナビゲーションアプリや、オーディオアプリ、テレビ・ビデオアプリ、メニューアプリ等が例示される。これらのアプリケーションによる表示出力及び音声出力は、ディスプレイ１，２（２０ａ，２０ｂ）及びスピーカ３０を利用して行われる。
【００１９】
ナビゲーションアプリは、車両向けの経路案内を行うアプリケーションであり、地図表示や経路探索、経路案内等が実行される。地図表示は、現在地付近の地図や車両の現在地を示すマーク等を表示する機能である。また、経路探索は、現在地から目的地までの最適な経路を自動的に算出する機能である。経路案内は、前述の経路探索によって求めた経路に沿った走行案内を行う機能である。ナビゲーションアプリによる画像は、表示制御部１３を通じてディスプレイ１，２（２０ａ，２０ｂ）の何れかに表示される。また、走行案内には、ガイド音声の出力も併用する。ガイド音声は、音声制御部１４を通じてスピーカ３０から出力される。
【００２０】
オーディオアプリは、例えば、ＣＤドライブや、ハードディスクドライブ、デジタルオーディオプレーヤ、ラジオチューナ等の音声ソースに基づいて音声コンテンツの出力を行うアプリケーションである。このオーディオアプリでは、選択可能な複数の音声ソースのうち、ユーザによって指定された音声ソースからの音声信号に基づく音声が、音声制御部１４を通じてスピーカ３０から出力される。また、出力する音声ソースを選択する等の各種操作をユーザが行うための操作メニュー画面が、表示制御部１３を通じてディスプレイ１，２（２０ａ，２０ｂ）の何れかに表示される。
【００２１】
テレビ・ビデオアプリは、テレビチューナや、ＤＶＤドライブ、ハードディスクドライブ等の映像（映像と音）ソースに基づいて映像コンテンツの出力を行うアプリケーションである。このテレビ・ビデオアプリでは、選択可能な複数の映像ソースのうち、ユーザによって指定された映像ソースからの映像信号に基づくコンテンツ画像が、表示制御部１３を通じてディスプレイ１，２（２０ａ，２０ｂ）の何れかに表示される。さらに、出力する音声ソースを選択する等の各種操作をユーザが行うための操作メニュー画面が、コンテンツ画像とは別のディスプレイにサブ画面として表示される。また、ユーザによって指定された映像ソースからの音声信号に基づく音声が、音声制御部１４を通じてスピーカ３０から出力される。
【００２２】
メニューアプリは、各種操作項目のメニュー画面を表示するアプリケーションである。このメニューアプリでは、各種車載機器を操作するための操作項目の一覧が、メニュー画面としてディスプレイ１，２（２０ａ，２０ｂ）の何れかに表示される。
【００２３】
なお、上記各アプリケーションによる表示出力が、ディスプレイ１，２（２０ａ，２０ｂ）のうちのどちらに表示されるかは、複数同時に稼働中のアプリケーションによる表示出力の状況に応じてＣＰＵ１１が適宜決定する。その手順の詳細については後述する。
【００２４】
また、上記各アプリケーションのうち、オーディオアプリ及びテレビ・ビデオアプリは、何れも鑑賞のための音声コンテンツの出力を主要な機能とするものである。したがって、これらのアプリケーションは、映像音声制御装置１０において音声系アプリケーションとして規定されている。その他に、音声系アプリケーションとして例示できるものとしては、移動電話による車内でのハンズフリー通話機能を提供するアプリケーション等が挙げられる。
【００２５】
一方、上記各アプリケーションのうち、ナビゲーションアプリ及びメニューアプリは、何れも鑑賞のための音声コンテンツを出力するものではなく、画像表示の方を主要とするものである。したがって、これらのアプリケーションは、映像音声制御装置１０において非音声系アプリケーションとして規定されている。
【００２６】
記憶部１２は、ハードディスクドライブや書換え可能な不揮発性半導体メモリ等で具現化される記憶装置である。この記憶部１２には、映像音声制御装置１０が動作するためにＣＰＵ１１が実行するシステムプログラムや、アプリケーションプログラム、映像や音声のコンテンツデータ等の各種データが記憶されている。上述のナビゲーションアプリや、オーディオアプリ、テレビ・ビデオアプリ、メニューアプリ等のアプリケーションプログラムもここに記憶されている。
【００２７】
表示制御部１３は、ＣＰＵ１１で実行される複数のアプリケーションからの表示出力信号を、２つのディスプレイ１，２（２０ａ，２０ｂ）に分配して出力して、映像を表示させる表示出力用のインタフェースユニットである。音声制御部１４は、ＣＰＵ１１で実行される複数のアプリケーションによる音声出力信号をスピーカ３０に出力して、音声を出力させる音声出力用のインタフェースユニットである。
【００２８】
ディスプレイ１，２（２０ａ，２０ｂ）は、液晶表示パネル等の表示面を有するカラー表示装置であり、何れも運転者の視界内において運転席から手の届く範囲に設置されているものとする。これらのディスプレイ１，２（２０ａ，２０ｂ）には、ＣＰＵ１１で実行される各種アプリケーションによる表示出力である画像が表示される。スピーカ３０は、ＣＰＵ１１で実行される各種アプリケーションからの音声出力によって、車室内に音声を出力するための出力装置である。
【００２９】
［映像音声制御装置１０の動作の概要］
映像音声制御装置１０においてアプリケーションが起動された場合、そのアプリケーションによる表示出力は、ディスプレイ1（２０ａ）又はディスプレイ２（２０ｂ）のどちらか、あるいはその両方に表示されるものとする。本実施形態では、通常的には、複数のアプリケーションが次々と起動された場合、ディスプレイ1（２０ａ）→ディスプレイ２（２０ｂ）→ディスプレイ1（２０ａ）…という順番で、２つの画面のうち古い方の画面が、新しく起動されたアプリケーションの画像に更新されるものとする。また、画面の更新に合わせて、音声出力も古いアプリケーションから新しく起動されたアプリケーションに切替えられる。あるいは、予めアプリケーションごとに個別に優先度を設定しておき、複数のアプリケーションが次々と起動された場合、２つの画面のうち優先度の低い方のアプリケーションの画像を、新たに起動されたアプリケーションの画像に更新するようにしてもよい。
【００３０】
このような通常的なルールの下で、例えば、音声コンテンツを再生する第１の音声系アプリケーションの画像がディスプレイ1（２０ａ）に表示されており、その音声コンテンツの再生音声がスピーカ３０から出力されている状況を想定してみる。この状況で、同じく音声コンテンツを再生する第２のアプリケーションが起動した場合、通常であれば、第２のアプリケーションによる表示出力はディスプレイ２（２０ｂ）に表示され、同時にア第２のプリケーションによる音声コンテンツの再生音声がスピーカ３０から出力されることになる。しかしながら、このようにすると、ユーザにとって、どちらのアプリケーションの音声が再生されているのか判断しづらくなったり、２つのアプリケーションの音声が混在して聴きづらい状況に陥ることが予想される。そこで、映像音声制御装置１０は、次のようにして複数の音声系アプリケーションの間で表示出力及び音声出力を排他的に行うことで、上記のような不都合が生じないようする。
【００３１】
映像音声制御装置１０は、アプリケーションの稼働中において、次に起動するアプリケーションが音声系アプリケーションに該当する場合、その時点で表示出力を行っている稼働中のアプリケーションが音声系アプリケーションに該当するか否かを判定する。もし、先に表示出力中のアプリケーションの中に音声系アプリケーションが存在する場合、上述した通常的な表示切替えの順序や優先度に関わらず、先の音声系アプリケーションの画像を新たに起動した次の音声系アプリケーションの画像に書替えて表示するものとする。さらに、先の音声系アプリケーションが音声コンテンツを再生中であれば、その音声出力を停止し、次の音声アプリケーションによる音声出力に切替えるものとする。
【００３２】
また、1つのディスプレイの画面を複数の表示領域に分割して、それぞれの表示領域に複数のアプリケーションの画像をレイアウトして表示する場合も考えられる。その場合も、複数の音声系アプリケーションによる表示出力及び音声出力を同時に行わないようにする。具体的には、先に表示出力中の音声系アプリケーションの画像が１画面を分割した表示領域レイアウトされている場合、その表示領域には新たに起動した次の音声系アプリケーションの画像を上書きして表示するものとする。そして、先の音声系アプリケーションが音声コンテンツを再生中であれば、その音声出力を停止し、次の音声アプリケーションによる音声出力に切替えるものとする。
【００３３】
［アプリケーション起動時の出力切替処理の説明］
映像音声制御装置１０のＣＰＵ１０が実行するアプリケーション起動時の出力切替処理の手順について、図２のフローチャートを参照しながら説明する。この処理は、映像音声制御装置１０において、アプリケーションが起動する時に表示出力及び音声出力の要求がなされることで実行される処理である。
【００３４】
Ｓ１００では、ＣＰＵ１０は、新たに起動したアプリケーション（以下、新規アプリケーションと表記）が、音声コンテンツを出力する音声系アプリケーションに該当するか否かを判定する。新規アプリケーションが音声系アプリケーションに該当する場合（Ｓ１００：ＹＥＳ）、Ｓ１０２に進む。一方、新規アプリケーションが音声系アプリケーションに該当しない場合（Ｓ１００：ＮＯ）、Ｓ１１２に進む。
【００３５】
新規アプリケーションが音声系アプリケーションに該当する場合に進むＳ１０２では、現時点で既に表示出力をしている稼動中のアプリケーションがあるか否かを判定する。新規アプリケーションの以外に稼動中のアプリケーションがある場合（Ｓ１０２：ＹＥＳ）、Ｓ１０４に進む。一方、新規アプリケーション以外に稼動中のアプリケーションがない場合（Ｓ１０２：ＮＯ）、Ｓ１１２に進む。
【００３６】
新規アプリケーションの以外に稼動中のアプリケーションがある場合に進むＳ１０４では、当該稼動中アプリケーションの中に音声コンテンツを出力する音声系アプリケーションがあるか否かを判定する。稼動中アプリケーションの中に音声系アプリケーションがある場合（Ｓ１０４：ＹＥＳ）、Ｓ１０６に進む。一方、稼動中アプリケーションの中に音声系アプリケーションがない場合（Ｓ１０４：ＮＯ）、Ｓ１１２に進む。
【００３７】
稼動中アプリケーションの中に音声系アプリケーションがある場合に進むＳ１０６では、現時点において、当該稼動中の音声系アプリケーションが音声コンテンツを再生出力中であるか否かを判定する。稼動中の音声系アプリケーションが音声コンテンツを再生出力中である場合（Ｓ１０６：ＹＥＳ）、Ｓ１０８に進む。一方、稼動中の音声系アプリケーションが音声コンテンツを再生出力中でない場合（Ｓ１０６：ＮＯ）、Ｓ１１０に進む。
【００３８】
稼動中の音声系アプリケーションが音声コンテンツを再生出力中である場合に進むＳ１０８では、その音声系アプリケーションによる音声出力を停止する。次のＳ１１０では、稼働中の音声系アプリケーションによる表示出力が行われている方のディスプレイの画面を、新規の音声系アプリケーションの表示出力に切替える。また、稼働中の音声系アプリケーションによる音声出力を新規の音声系アプリケーションによる音声出力に切替える。なお、このときの切替処理により排他された元の音声系アプリケーションは、終了させずに待機状態に移行させることが考えられる。待機状態のアプリケーションでは、ディスプレイやスピーカによる表示出力及び音声出力は行われない。あるいは、このときの切替処理により排他された元の音声系アプリケーションは、動作を終了するようにしてもよい。
【００３９】
一方、Ｓ１００、Ｓ１０２又はＳ１０４の何れかのステップにおいて否定判定をした場合に進むＳ１１２では、新規アプリケーションによる表示出力を、所定のディスプレイに表示する。また、新規アプリケーションによる音声出力がある場合は、その音声出力を音声制御部１４を通じて行う。ここでは、新規アプリケーションによる表示出力先となるディスプレイは、上述の通常的なルールに則ってディスプレイ1（２０ａ）又はディスプレイ２（２０ｂ）のどちらかが選ばれる。すなわち、複数のアプリケーションが同時に動作する場合には、２つの画面のうち起動した時期が古い方の画面が新規アプリケーションの画面へ更新される。
【００４０】
また、何の表示も行われていないディスプレイがある場合は、新規アプリケーションの画像をそこに表示するようにしてもよい。あるいは、新規アプリケーションの画像を優先的に表示するディスプレイが予め決められている場合には、新規アプリケーションの画像をそのディスプレイに割込みで表示してもよい。このとき、それ以前にそのディスプレイに表示されていた画像は、もう一方のディスプレイに移し替えて表示してもよい。それ以外に、新規アプリケーションが２画面表示を要求する場合には、ディスプレイ１，２（２０ａ，２０ｂ）の両方の画面を、新規アプリケーションの画像に切替える。
【００４１】
［音声系アプリケーション終了時の出力切替処理の説明］
映像音声制御装置１０のＣＰＵ１０が実行する音声系アプリケーション終了時の出力切替処理の手順について、図３のフローチャートを参照しながら説明する。この処理は、映像音声制御装置１０において、表示出力及び音声出力を行っていた音声系アプリケーションが動作を終了するときに実行される処理である。
【００４２】
Ｓ２００では、ＣＰＵ１０は、動作を終了する音声系アプリケーションの他に、待機状態の音声系アプリケーションがあるか否かを判定する。音声系アプリケーションの終了時に待機中の別の音声系アプリケーションがある場合（Ｓ２００：ＹＥＳ）、Ｓ２０２に進む。Ｓ２０２では、終了する音声系アプリケーションによる表示出力が行われていた方のディスプレイの画面を、待機していた別の音声系アプリケーションによる表示出力に切替える。また、終了する音声系アプリケーションによる音声出力を待機していた別の音声系アプリケーションによる音声出力に切替える。
【００４３】
一方、音声系アプリケーションの終了時に待機中の別の音声系アプリケーションがない場合（Ｓ２００：ＮＯ）、Ｓ２０４に進む。Ｓ２０４では、終了する音声系アプリケーションによる表示出力が行われていたディスプレイの画面を、メニューアプリケーション又は他の所定のアプリケーションによる表示出力に切替える。このときにディスプレイに表示される画面は、デフォルトの表示画面として予め定められたアプリケーションの画面が選択されるものとする。
【００４４】
［２画面表示における画面切替えの具体例］
つぎに、本実施形態の映像音声制御装置１０で行われる、２画面表示における画面切替えの具体例について図４〜１０を参照しながら説明する。
【００４５】
（１）通常例１
図４（ａ）は、ディスプレイ１（２０ａ）に、非音声系アプリケーションであるナビゲーションアプリの画像が表示されており、ディスプレイ２（２０ｂ）に同じく非音声系アプリケーションであるメニューアプリの画像が表示されている状況を示している。この状況において、音声系アプリケーションであるオーディオアプリケーションが新たに起動したケースを想定する。
【００４６】
このケースは、複数の音声系アプリケーションが同時に動作する状況に該当しないため、通常的なルールに従って表示する画面の切替えが行われる。図４（ｂ）は、図４（ａ）の状況から画面の切替えが行われた後の状況を示している。ここでは、ディスプレイ２（２０ｂ）の画面のみが、新たに起動したオーディオアプリの画像に切替えられている。
【００４７】
（２）通常例２
図５（ａ）は、ディスプレイ１（２０ａ）に、非音声系アプリケーションであるナビゲーションアプリの画像が表示されており、ディスプレイ２（２０ｂ）に同じく非音声系アプリケーションであるメニューアプリの画像が表示されている状況を示している。この状況において、音声系アプリケーションであるテレビ・ビデオアプリケーションが新たに起動したケースを想定する。ただし、このときに起動するテレビ・ビデオアプリケーションは、２つの画面に別々の画像を表示する表示出力を要求するものとする。
【００４８】
このケースでは、ディスプレイ１，２（２０ａ，２０ｂ）の両方で画面の切替えが行われる。図５（ｂ）は、図５（ａ）の状況から画面の切替えが行われた後の状況を示している。ここでは、ディスプレイ１（２０ａ）の画面が、新たに起動したテレビ・ビデオアプリのコンテンツ画像に切替えられている。さらに、ディスプレイ２（２０ｂ）の画面が、テレビ・ビデオアプリの操作メニュー画面に切替えられた後の状況を示している。
【００４９】
（３）通常例３
図６（ａ）は、ディスプレイ１（２０ａ）に、非音声系アプリケーションであるナビゲーションアプリの画像が表示されており、ディスプレイ２（２０ｂ）に同じく非音声系アプリケーションであるメニューアプリの画像が表示されている状況を示している。この状況において、音声系アプリケーションであるテレビ・ビデオアプリケーションが新たに起動したケースを想定する。ただし、このときに起動するテレビ・ビデオアプリケーションは、従前のアプリケーションの起動順に関わらずディスプレイ１（２０ａ）に優先的に画像を表示することが設定されているものとする。
【００５０】
このケースでは、ディスプレイ１（２０ａ）に対してテレビ・ビデオアプリケーションの画像が割込みで表示される。図６（ｂ）は、図６（ａ）の状況から画面の切替えが行われた後の状況を示している。ここでは、ディスプレイ１（２０ａ）の画面が、新たに起動したテレビ・ビデオアプリの画像に切替えられている。さらに、ディスプレイ２（２０ｂ）の画面が、それまでディスプレイ１（２０ａ）に表示されていたナビゲーションアプリの画像に切替えられている。
【００５１】
（４）不正例１
図７（ａ）は、ディスプレイ１（２０ａ）に、非音声系アプリケーションであるナビゲーションアプリの画像が表示されており、ディスプレイ２（２０ｂ）に音声系アプリケーションであるオーディオアプリの画像が表示されている状況を示している。この状況において、もう一つの音声系アプリケーションであるテレビ・ビデオアプリケーションが新たに起動したケースを想定する。
【００５２】
図７（ｂ）に示す事例は、不正な表示例である。ここでは、図７（ａ）の状況から、ディスプレイ１（２０ａ）の画面が、新たに起動したテレビ・ビデオアプリの画像に切替えられた状況を仮想している。この状況においては、ディスプレイ１，２（２０ａ，２０ｂ）の両方に、テレビ・ビデオアプリとオーディオアプリとの２つの音声系アプリケーションの画像が同時に表示されてしまうことになる。本来、このケースでは、複数の音声系アプリケーションの出力を排他的に行う制御により、ディスプレイ１，２（２０ａ，２０ｂ）の両方に音声系アプリケーションの表示出力が行なわれないように制限される。このため、本実施形態の映像音声制御装置１０では、図７（ｂ）に示すような状況は実現しないようになっている。
【００５３】
（５）改善例１
図８（ａ）は、ディスプレイ１（２０ａ）に、非音声系アプリケーションであるナビゲーションアプリの画像が表示されており、ディスプレイ２（２０ｂ）に音声系アプリケーションであるオーディオアプリの画像が表示されている状況を示している。この状況において、もう一つの音声系アプリケーションであるテレビ・ビデオアプリケーションが新たに起動したケースを想定する。
【００５４】
このケースでは、複数の音声系アプリケーションの出力を排他的に行う制御により、切替え前に表示されていたアプリケーションの起動順や優先度に関わらず、従前の音声系アプリケーションの画像が、次に起動した音声系アプリケーションの画像に切替えられる。このようにして音声系アプリケーションの出力の排他性が保たれる。図８（ｂ）に示す事例は、図７（ｂ）の不正例を改善した表示例である。図８（ｂ）は、図８（ａ）の状況から画面の切替えが行われた後の状況を示している。ここでは、オーディオアプリの画像を表示していたディスプレイ２（２０ｂ）の画面が、新たに起動したテレビ・ビデオアプリの画像に切替えられている。
【００５５】
（６）不正例２
図９（ａ）は、１画面を分割して複数のアプリケーションの画像をレイアウト表示した状況を示している。ディスプレイ１（２０ａ）の左側の表示領域には、音声系アプリケーションであるオーディオアプリの画像がレイアウト表示されている。一方、ディスプレイ１（２０ａ）の右側の表示領域には、非音声系アプリケーションであるナビゲーションアプリの画像がレイアウト表示されている。また、ディスプレイ２（２０ｂ）の画面には、非音声系アプリケーションであるメニューアプリの画像が表示されている。この状況において、もう一つの音声系アプリケーションであるテレビ・ビデオアプリケーションが新たに起動したケースを想定する。
【００５６】
図９（ｂ）に示す事例は、不正な表示例である。ここでは、図９（ａ）の状況から、ディスプレイ２（２０ｂ）の画面が、新たに起動したテレビ・ビデオアプリの画像に切替えられた状況を仮想している。この状況においては、ディスプレイ１，２（２０ａ，２０ｂ）の両方に、オーディオアプリとテレビ・ビデオアプリとの２つの音声系アプリケーションの画像が同時に表示されてしまうことになる。本来、このケースでは、複数の音声系アプリケーションの出力を排他的に行う制御により、ディスプレイ１，２（２０ａ，２０ｂ）の両方に音声系アプリケーションの表示出力が行なわれないように制限される。このため、本実施形態の映像音声制御装置１０では、図９（ｂ）に示すような状況は実現しないようになっている。
【００５７】
（７）改善例２
図１０（ａ）は、１画面を分割して複数のアプリケーションの画面をレイアウト表示した状況を示している。ディスプレイ１（２０ａ）の左側の表示領域には、音声系アプリケーションであるオーディオアプリの画像がレイアウト表示されている。一方、ディスプレイ１（２０ａ）の右側の表示領域には、非音声系アプリケーションであるナビゲーションアプリの画像がレイアウト表示されている。また、ディスプレイ２（２０ｂ）の画面には、非音声系アプリケーションであるメニューアプリの画像が表示されている。この状況において、もう一つの音声系アプリケーションであるテレビ・ビデオアプリケーションが新たに起動したケースを想定する。ただし、このときに起動するテレビ・ビデオアプリケーションは、２つの画面に別々の画像を表示する表示出力を要求するものとする。
【００５８】
このケースでは、複数の音声系アプリケーションの出力を排他的に行う制御により、切替え前に表示されていたアプリケーションの起動順や優先度に関わらず、従前の音声系アプリケーションの画像が、次に起動した音声系アプリケーションの画像に切替えられる。このようにして音声系アプリケーションの出力の排他性が保たれる。図１０（ｂ）に示す事例は、図９（ｂ）の不正例を改善した表示例である。図１０（ｂ）は、図１０（ａ）の状況から画面の切替えが行われた後の状況を示している。ここでは、オーディオアプリの画像を表示していたディスプレイ１（２０ａ）の左側の表示領域の画面が、新たに起動したテレビ・ビデオアプリの操作メニュー画面に切替えられている。さらに、ディスプレイ２（２０ｂ）の画面が、新たに起動したテレビ・ビデオアプリのコンテンツ画像に切替えられている。
【００５９】
［効果］
実施形態の映像音声制御装置１０によれば、以下のような効果を奏する。
複数のディスプレイに複数種類のアプリケーションによる表示出力をそれぞれ独立して表示可能なシステムにおいて、複数の音声系アプリケーションの間で表示出力及び音声出力を排他的に行うことができる。これにより、複数の音声系アプリケーションによる音源が同時に車内空間に出力される状況を回避できる。このため、ユーザが音声を聴き取り辛く感じたり煩わしさを感じることを抑制できる。
【００６０】
複数の音声系アプリケーションの間で表示出力及び音声出力を排他的に切替えたときに、排他された従前の音声系アプリケーションを稼動状態のまま待機させることができる。このようにすることで、ある音声系アプリケーションの動作が終了したときに、この終了した音声系アプリケーションに代えて、排他されて待機中であった音声系アプリケーションによる表示出力及び音声出力をすぐに復帰させることができる。
【００６１】
なお、上記実施形態においては、２つのディスプレイが実装された事例について説明したが、本発明は、２つよりも多くのディスプレイが実装されたシステムにおいても適用可能である。
【００６２】
［特許請求の範囲に記載の構成との対応］
実施形態の映像音声制御装置１０の構成と、特許請求の範囲に記載の構成との対応は次のとおりである。ＣＰＵ１１が映像制御手段に相当する。また、ディスプレイ１，２（２０ａ，２０ｂ）が、映像表示手段に相当する。また、スピーカ３０が音声出力手段に相当する。
【符号の説明】
【００６３】
１…車両、１０…映像音声制御装置、１１…ＣＰＵ、１２…記憶部、１３…表示制御部、１４…音声制御部、２０ａ…ディスプレイ１、ディスプレイ２…２０ｂ、３０…スピーカ。
【図１】
2013171312.tif 000003
【図２】
2013171312.tif 000004
【図３】
2013171312.tif 000005
【図４】
2013171312.tif 000006
【図５】
2013171312.tif 000007
【図６】
2013171312.tif 000008
【図７】
2013171312.tif 000009
【図８】
2013171312.tif 000010
【図９】
2013171312.tif 000011
【図１０】
2013171312.tif 000012